(57)【要約】【課題】害獣の捕獲に関する情報の管理を効率的に行うこと。【解決手段】管理システムは、ユーザの端末装置から送信された識別情報が付与された捕獲個体に関する情報を含む申請情報を記憶し、前記識別情報に基づいてユーザから提出された前記識別情報と同じ識別情報が付与された前記捕獲個体の一部と前記申請情報との照合及び照合結果の入力を可能とする。【選択図】図１
2020087417.tif 000002
【特許請求の範囲】
【請求項１】
ユーザの端末装置から送信された識別情報が付与された捕獲個体に関する情報を含む申請情報を記憶し、前記識別情報に基づいてユーザから提出された前記識別情報と同じ識別情報が付与された前記捕獲個体の一部と前記申請情報との照合及び照合結果の入力を可能とする管理システム。
【発明の詳細な説明】
【技術分野】
【０００１】
本発明の実施形態は、管理システムに関する。
【背景技術】
【０００２】
農作物に被害を及ぼすイノシシやシカ等の害獣を捕獲した場合、害獣を捕獲したことを示す証拠を自治体等へ提出することで報奨金を得る制度がある。従来、証拠の提出方法として、例えば捕獲した捕獲個体の尻尾等の体の一部を切断して、所定の事項を記入した申請書とともに提出する方法がある。
【先行技術文献】
【特許文献】
【０００３】
【特許文献１】特開２００１−１４８９５７号公報
【発明の概要】
【発明が解決しようとする課題】
【０００４】
しかしながら、従来の手法には、害獣の捕獲に関する情報の管理を効率的に行うことができないという問題がある。例えば、申請された害獣の捕獲に関する情報をデータベースとして集積し、コンピュータを用いて管理及び分析を行う場合、紙の申請書に記載された内容を手作業でコンピュータに入力する作業が発生する。このため、管理業務の効率が低下する。
【０００５】
本発明は、害獣の捕獲に関する情報の管理を効率的に行うための管理システムを提供することを目的とする。
【課題を解決するための手段】
【０００６】
本実施形態の管理システムは、ユーザの端末装置から送信された識別情報が付与された捕獲個体に関する情報を含む申請情報を記憶し、前記識別情報に基づいてユーザから提出された前記識別情報と同じ識別情報が付与された前記捕獲個体の一部と前記申請情報との照合及び照合結果の入力を可能とする。
【発明の効果】
【０００７】
本発明によれば、害獣の捕獲に関する情報の管理を効率的に行うための管理システムを提供することができる。
【図面の簡単な説明】
【０００８】
【図１】図１は、実施形態に係る管理システムの構成例を示す図である。
【図２】図２は、実施形態に係る情報提供装置の構成例を示すブロック図である。
【図３】図３は、実施形態に係る識別情報の一例を示す図である。
【図４】図４は、実施形態に係るユーザ情報の一例を示す図である。
【図５】図５は、実施形態に係る申請情報の一例を示す図である。
【図６】図６は、実施形態に係る端末装置の構成例を示すブロック図である。
【図７】図７は、実施形態に係る申請画面の一例を示す図である。
【図８】図８は、実施形態に係る管理装置の構成例を示すブロック図である。
【図９】図９は、実施形態に係る照合画面の一例を示す図である。
【図１０】図１０は、実施形態に係る管理システムの処理の流れを示すシーケンスである。
【図１１】図１１は、実施形態に係る管理システムの処理の流れを示すシーケンスである。
【図１２】図１２は、実施形態に係る管理システムの処理の流れを示すシーケンスである。
【図１３】図１３は、実施形態に係る管理システムの処理の流れを示すシーケンスである。
【図１４】図１４は、実施形態に係るコードの一例を示す図である。
【発明を実施するための形態】
【０００９】
以下で説明する実施形態に係る情報提供装置１０は、申請情報管理部１３１と、識別情報管理部１３２と、照合結果管理部１３３とを具備する。申請情報管理部１３１は、ユーザに関する情報、位置に関する情報、及び捕獲した動物である捕獲個体に関する情報を少なくとも含む申請情報を管理する。識別情報管理部１３２は、捕獲個体の一部と、申請情報とを紐づける識別情報を管理する。照合結果管理部１３３は、捕獲個体の一部と申請情報との照合結果を管理する。
【００１０】
また、識別情報管理部１３２は、ユーザの端末装置２０から申請情報を受信すると、第１の識別情報を発行し、発行した第１の識別情報とユーザの端末装置２０から受信した申請情報とを対応付けて管理する。
【００１１】
また、識別情報管理部１３２は、あらかじめ第２の識別情報を発行し、発行した第２の識別情報をユーザに提供し、第２の識別情報とユーザの端末装置２０から受信した申請情報とを対応付けて管理する。
【００１２】
また、識別情報管理部１３２は、コードで示されあらかじめユーザに配布された第３の識別情報とユーザの端末装置２０から受信した申請情報とを対応付けて管理する。
【００１３】
また、識別情報管理部１３２は、端末装置２０により発行された第４の識別情報とユーザの端末装置２０から受信した申請情報とを対応付けて管理する。
【００１４】
また、識別情報管理部１３２は、ユーザの端末装置２０から受信した申請情報に付与された識別情報が、第２又は第３の識別情報と一致する場合、申請情報に付与された識別情報を管理対象と判定する。
【００１５】
また、識別情報管理部１３２は、ユーザの端末装置２０から受信した申請情報に付与された第４の識別情報が、あらかじめ設定された識別情報の発行ルールに合致する場合、第４の識別情報を管理対象と判定する。
【００１６】
また、照合結果管理部１３３は、申請情報のそれぞれについて、捕獲個体の一部との照合結果の入力を受け付け、その結果を管理者が使用する管理装置３０に、申請情報とともに表示する。
【００１７】
また、申請情報管理部１３１は、申請情報として、ユーザを識別する情報、ユーザが所属する班、捕獲個体が捕獲された日付、捕獲個体が捕獲された位置、捕獲個体を捕獲した方法、捕獲個体の種類及び状態をユーザの端末装置２０から取得する。
【００１８】
また、申請情報管理部１３１は、ユーザの端末装置２０に備えられたＧＰＳ（Global  Positioning  System）機能によって取得された位置情報を取得し、位置情報をメッシュ番号に変換して管理する。
【００１９】
以下、図１〜図１４を用いて、実施形態に係る情報提供装置を含む管理システムについて説明する。実施形態において同一の部位には同一の符号を付し、重複する説明は省略される。
【００２０】
［管理システムの構成例］
図１は、実施形態に係る管理システムの構成例を示す図である。管理システム１は、動物を捕獲した猟師等（以降、単にユーザと呼ぶ。）によって申請された情報を管理し、管理している情報を自治体の職員等（以降、単に管理者と呼ぶ。）に提供するためのシステムである。
【００２１】
図１に示すように、管理システムは、情報提供装置１０、ユーザＵ００１によって使用される端末装置２０、及び管理者Ａ００１によって使用される管理装置３０を有する。また、情報提供装置１０及び端末装置２０は、ネットワーク２を介して通信可能に接続されている。例えば、ネットワーク２はインターネットである。また、情報提供装置１０及び管理装置３０は、通信可能に接続されている。なお、管理装置３０は、ネットワーク２を介して情報提供装置１０に接続されていてもよい。
【００２２】
例えば、端末装置２０は、スマートフォン、タブレット及びデジタルカメラ等の携帯型の装置である。また、情報提供装置１０は、端末装置２０から取得した情報の管理を行うサーバである。また、管理装置３０は、スマートフォン、タブレット及びパーソナルコンピュータ等の、据え置き型又は携帯型の装置である。
【００２３】
ユーザＵ００１は、端末装置２０を使って、捕獲した捕獲個体４０を撮影する。また、ユーザＵ００１は、捕獲個体４０の一部である尻尾４１を切り取り、切り取った尻尾４１をあらかじめ用意された袋５０に入れて自治体に提出する。例えば、袋５０は透明のビニール袋である。また、袋５０には、ユーザＵ００１がペン等で文字を記入可能な記入領域５１が設けられている。
【００２４】
ここで、管理者Ａ００１は、ユーザＵ００１によって提出された申請情報及び尻尾４１が入れられた袋５０の照合を行う。ユーザＵ００１は、照合が行われた後に報奨金を受け取ることができる。
【００２５】
図２は、実施形態に係る情報提供装置の構成例を示すブロック図である。図２に示すように、情報提供装置１０は、通信部１１、記憶部１２及び制御部１３を有する。
【００２６】
通信部１１は、無線通信処理や有線通信処理を行うためのネットワークデバイスである。例えば、通信部１１は、ネットワーク２を介して端末装置２０との間で各種情報を送受信する。また、例えば、通信部１１は、管理装置３０との間で各種情報を送受信する。
【００２７】
記憶部１２は、例えば、ＲＡＭ（Random  Access  Memory）、フラッシュメモリ（Flash  Memory）等の半導体メモリ素子、又は、ハードディスク、光ディスク等の記憶装置によって実現される。実施形態に係る記憶部１２は、情報提供装置１０で実行される各処理で利用されるデータを記憶する。また、記憶部１２は、識別情報記憶部１２１、ユーザ情報記憶部１２２及び申請情報記憶部１２３を有する。
【００２８】
図３は、実施形態に係る識別情報の一例を示す図である。図３に示すように、識別情報記憶部１２１は、申請情報を識別するユニークＩＤ及びユーザを識別するユーザＩＤを対応付けて記憶する。ユニークＩＤは、ユーザＩＤと対応付けられていてもよいし、ユーザＩＤと対応付けられていなくてもよい。図３の例では、ユニークＩＤ「１２３４５６７」は、ユーザＩＤ「Ｕ００１」と対応付けられている。一方、ユニークＩＤ「２４６８０００」は、ユーザＩＤと対応付けられていない。
【００２９】
図４は、実施形態に係るユーザ情報の一例を示す図である。図４に示すように、ユーザ情報記憶部１２２は、ユーザＩＤと、ユーザの氏名、班及び班における役職とが対応付けて記憶する。図４の例では、ユーザＩＤが「Ｕ００１」であるユーザの氏名は「○○××」であり、第２班に所属していることが示されている。
【００３０】
図５は、実施形態に係る申請情報の一例を示す図である。図５に示すように、申請情報記憶部１２３は、ユニークＩＤ、ユーザＩＤ、位置情報、捕獲個体情報に加え、捕獲個体の一部と照合済みであるか否かを示す情報、及び報奨金が支払い済みであるか否かを示す情報を対応付けて記憶する。図５の例では、ユニークＩＤ「１２３４５６７」は、ユーザＩＤ「Ｕ００１」、位置情報「34°26'27.0"N  167°39'10.1"E」及び捕獲個体情報「イノシシ、メス、…」と対応付けられている。また、図５の例では、ユニークＩＤ「１２３４５６７」の申請情報は捕獲個体の尻尾と照合済みであるが、ユーザに報奨金は支払われていないことが示されている。
【００３１】
制御部１３は、各種の処理手順等を規定したプログラム及び所要データを格納するための内部メモリを有し、これらによって種々の処理を実行する。制御部１３は、申請情報管理部１３１、識別情報管理部１３２及び照合結果管理部１３３を有する。
【００３２】
申請情報管理部１３１は、ユーザに関する情報、位置に関する情報、及び捕獲した動物である捕獲個体に関する情報を少なくとも含む申請情報を管理する。申請情報管理部１３１は、端末装置２０から申請情報を取得し、取得した申請情報を申請情報記憶部１２３に格納する。
【００３３】
例えば、申請情報管理部１３１は、申請情報として、ユーザを識別する情報、ユーザが所属する班、捕獲個体が捕獲された日付、捕獲個体が捕獲された位置、捕獲個体を捕獲した方法、捕獲個体の種類及び状態をユーザの端末装置２０から取得する。
【００３４】
また、申請情報管理部１３１は、取得した申請情報を変換したり、申請情報に所定の情報を追加したりすることができる。例えば、申請情報管理部１３１は、ユーザの端末装置２０に備えられたＧＰＳ機能によって取得された位置情報を、メッシュ番号に変換して管理する。つまり、申請情報管理部１３１は、緯度経度で表された地点が含まれるメッシュを特定する。ここで、メッシュ番号は、例えば、地域メッシュ統計における基準地域メッシュである（参考ＵＲＬ：https://www.stat.go.jp/data/mesh/m_tuite.html）。
【００３５】
これにより、動物が捕獲された区画を、メッシュ単位で管理することが可能になる。また、従来は申請書に手書きで記入されていたメッシュ番号を、自動的に取得することが可能になる。
【００３６】
識別情報管理部１３２は、捕獲個体の一部と、申請情報とを紐づける識別情報を管理する。例えば、識別情報はユニークＩＤである。また、識別情報管理部１３２は、識別情報を所定のタイミングで発行することができる。また、識別情報管理部１３２は、発行したユニークＩＤを識別情報記憶部１２１に格納する。
【００３７】
また、識別情報管理部１３２は、ユーザごとに専用の識別情報を発行することができる。この場合、例えば、識別情報管理部１３２は、発行したユニークＩＤと当該ユニークＩＤに対応するユーザＩＤとを対応付けて識別情報記憶部１２１に格納する。
【００３８】
識別情報管理部１３２は、端末装置２０から送られてきた申請情報及び識別情報をそのまま管理対象とすることができる。一方で、識別情報管理部１３２は、申請情報に付与された識別情報が有効であるか否かを判定し、有効であると判定した場合は、当該識別情報及び申請情報を管理対象と判定してもよい。ただし、識別情報管理部１３２が管理対象を判定する処理は必須ではない。
【００３９】
なお、識別情報管理部１３２が管理対象を判定する処理を行う場合、不正な申請や重複申請を防止することができる。例えば、ユニークＩＤを提供されていないユーザが、不正に報奨金を手に入れる目的でランダムに生成したユニークＩＤを虚偽の申請情報に付与して送信したとしても、情報提供装置１０は、当該申請情報を管理対象から除外し、不正を防止することができる。
【００４０】
例えば、識別情報管理部１３２は、第１の識別情報を発行し、発行した第１の識別情報をユーザに提供し、ユーザの端末装置２０から送信された申請情報に付与された第２の識別情報が、第１の識別情報と一致する場合、第２の識別情報を管理対象と判定してもよい。このとき、例えば、識別情報管理部１３２は、端末装置２０から送信された申請情報に付与されたユニークＩＤが、識別情報記憶部１２１に記憶されているユニークＩＤと一致する場合、当該ユニークＩＤ及び申請情報を管理対象と判定する。また、識別情報管理部１３２によって管理対象と判定された申請情報は、申請情報管理部１３１によって申請情報記憶部１２３に格納される。
【００４１】
また、識別情報管理部１３２は、端末装置２０から送信された申請情報に付与されたユニークＩＤ及びユーザＩＤが、識別情報記憶部１２１に対応付けられて記憶されているユニークＩＤ及びユーザＩＤと一致する場合、当該申請情報を管理対象と判定してもよい。
【００４２】
また、識別情報は、端末装置２０によって発行されてもよい。この場合、識別情報管理部１３２は、ユーザの端末装置２０から送信された申請情報に付与された第３の識別情報が、あらかじめ設定された識別情報の発行ルールに合致する場合、第３の識別情報を管理対象と判定してもよい。
【００４３】
例えば、識別情報管理部１３２は、端末装置２０によって発行されたユニークＩＤが、あらかじめ定められた桁数に合致するか否かを判定することができる。例えば、識別情報管理部１３２は、端末装置２０によって発行されたユニークＩＤに使用されている文字が、あらかじめ定められたものであるか否かを判定することができる。また、例えば、識別情報管理部１３２は、端末装置２０によって発行されたユニークＩＤが、ユーザＩＤ等から計算される所定のハッシュ値であるか否かを判定することができる。
【００４４】
照合結果管理部１３３は、捕獲個体の一部と申請情報との照合結果を管理する。例えば、照合結果管理部１３３は、管理者によって申請情報と尻尾４１の照合が完了したことが示された場合、申請情報記憶部１２３における、照合済みであることを示すフラグを立てる。なお、ここでは、照合済みであることを示すフラグを立てることは、申請情報記憶部１２３の「照合」列の値を「未」から「済」に変更することであるものとする。
【００４５】
また、照合結果管理部１３３は、捕獲個体の一部に付与されたコードから読み取られた識別情報と、第２の識別情報とが一致する場合、申請情報を照合済みであるものとして管理するようにしてもよい。例えば、管理装置３０に備えられた画像読み取り機能により、袋５０の記入領域５１に記載された識別情報が読み取られ、かつ、当該読み取られた識別情報が識別情報管理部１３２によって有効であると判定された場合、照合結果管理部１３３は、自動的に当該申請情報が照合済みであることを示すフラグを立てる。
【００４６】
また、照合結果管理部１３３は、管理者が使用する管理装置３０に、申請情報の一覧を表示させ、申請情報のそれぞれについて、捕獲個体の一部との照合結果の入力を受け付けてもよい。このように、照合結果の入力は、ユーザによって手動で行われてもよいし、前述の通り、コードを読み取った際に自動的に行われてもよい。
【００４７】
図６は、実施形態に係る端末装置の構成例を示すブロック図である。図６に示すように、端末装置２０は、通信部２１、撮像部２２、入出力部２３、記憶部２４及び制御部２５を有する。
【００４８】
通信部２１は、無線通信処理や有線通信処理を行うためのネットワークデバイスである。例えば、通信部２１は、ネットワーク２を介して情報提供装置１０との間で各種情報を送受信する。撮像部２２は、捕獲個体の画像を撮影する。撮像部２２は、例えばカメラである。入出力部２３は、画面を表示し、また、ユーザからの入力を受け付ける装置である。例えば、入出力部２３はタッチパネルディスプレイである。
【００４９】
記憶部２４は、例えば、ＲＡＭ、フラッシュメモリ等の半導体メモリ素子、又は、ハードディスク、光ディスク等の記憶装置によって実現される。実施形態に係る記憶部２４は、端末装置２０で実行される各処理で利用されるデータを記憶する。
【００５０】
制御部２５は、各種の処理手順等を規定したプログラム及び所要データを格納するための内部メモリを有し、これらによって種々の処理を実行する。制御部２５は、取得部２５１、表示制御部２５２及び生成部２５３を有する。
【００５１】
取得部２５１は、端末装置２０の現在地の位置情報を取得する。例えば、取得部２５１は、ＧＰＳを利用して現在地の緯度経度を取得する。また、取得部２５１は、記憶部２４にあらかじめ記憶されたユーザのユーザＩＤ、氏名、班、役職等の情報を取得する。
【００５２】
表示制御部２５２は、申請情報を入力するための画面である申請画面を入出力部２３に表示させる。例えば、申請画面は、あらかじめ端末装置２０にインストールされたアプリケーションの機能であってよい。
【００５３】
図７は、実施形態に係る申請画面の一例を示す図である。図７に示すように、申請画面には、撮像部２２によって撮像された捕獲個体の画像とともに、申請情報の各項目の入力フォーマットが表示される。申請画面における各項目の入力は、プルダウンリスト、チェックボックス及びラジオボタン等から行われてもよい。また、例えば、表示制御部２５２は、取得部２５１によって取得されたユーザ情報を、申請画面に変更不可の既定値として表示させる。また、例えば、表示制御部２５２は、取得部２５１によって取得された位置情報を、申請画面の地図上に表示してもよい。
【００５４】
生成部２５３は、情報提供装置１０に送信するための申請情報を生成する。生成部２５３は、申請画面の送信ボタンが押下されると、各項目の入力値を取得し、取得した値を送信可能な所定のデータ形式に変換する。そして、申請情報は、通信部２１によって情報提供装置１０に送信される。
【００５５】
図８は、実施形態に係る管理装置の構成例を示すブロック図である。図８に示すように、管理装置３０は、通信部３１、撮像部３２、入出力部３３、記憶部３４及び制御部３５を有する。
【００５６】
通信部３１は、無線通信処理や有線通信処理を行うためのネットワークデバイスである。例えば、通信部３１は、情報提供装置１０との間で各種情報を送受信する。撮像部３２は、識別情報の読み取りのため、袋５０の記入領域５１の画像を撮影する。撮像部３２は、例えばカメラである。入出力部３３、画面を表示し、また、ユーザからの入力を受け付ける装置である。例えば、入出力部３３はディスプレイ及びキーボードである。また、入出力部３３はタッチパネルディスプレイであってもよい。
【００５７】
記憶部３４は、例えば、ＲＡＭ、フラッシュメモリ等の半導体メモリ素子、又は、ハードディスク、光ディスク等の記憶装置によって実現される。実施形態に係る記憶部３４は、管理装置３０で実行される各処理で利用されるデータを記憶する。
【００５８】
制御部３５は、各種の処理手順等を規定したプログラム及び所要データを格納するための内部メモリを有し、これらによって種々の処理を実行する。制御部３５は、表示制御部３５１及び要求部３５２を有する。
【００５９】
表示制御部３５１は、申請情報を閲覧し、照合結果を入力するための画面である照合画面を入出力部３３に表示させる。例えば、照合画面は、Ｗｅｂブラウザ上に表示される画面であってもよい。
【００６０】
図９は、実施形態に係る照合画面の一例を示す図である。図９に示すように、照合画面には、情報提供装置１０に記憶されている申請情報の一覧が表示される。また、照合画面には、捕獲個体の一部と照合済みであるか否かを示す情報、及び報奨金が支払い済みであるか否かを示す情報がチェックボックスによって表示される。
【００６１】
また、管理者は、袋５０の記入領域５１に記入されたユニークＩＤと、照合画面に表示されたユニークＩＤとを照合する。このとき、管理者は、照合が完了すると、当該照合情報のチェックボックスをチェックし、確定ボタンを押下する。
【００６２】
要求部３５２は、情報提供装置１０に、申請情報を更新することを要求する。具体的には、要求部３５２は、照合画面の確定ボタンが押下されると、当該確定ボタンの行のユニークＩＤを情報提供装置１０に通知する。このとき、情報提供装置１０の照合結果管理部１３３は、要求部３５２からの通知を受け、申請情報記憶部１２３の「照合」列の値を「未」から「済」に変更する。
【００６３】
また、要求部３５２は、申請情報の更新の要求と同時に、照合画面への入力を行った管理者を識別する情報及び入力が行われた日時を情報提供装置１０に送信してもよい。また、情報提供装置１０は、申請情報とともに、照合画面の入力者及び入力日時を記憶するようにしてもよい。
【００６４】
［処理手順］
図１０を用いて、管理システム１の処理の流れについて説明する。図１０は、実施形態に係る管理システムの処理の流れを示すシーケンスである。図１０に示すように、端末装置２０は、まず、ユーザＵ００１の起動操作（ステップＳ１１）に応じてアプリケーションを起動する（ステップＳ１０１）。次に、端末装置２０は、ユーザＵ００１の撮像操作（ステップＳ１２）に応じて、捕獲した動物の画像を撮像する（ステップＳ１０２）。さらに、端末装置２０は、現在位置を取得する（ステップＳ１０３）。
【００６５】
ここで、端末装置２０は、ユーザＵ００１の入力操作（ステップＳ１３）による各情報の入力を受け付ける（ステップＳ１０４）。そして、端末装置２０は、入力された情報から申請情報を生成する（ステップＳ１０５）。さらに、端末装置２０は、生成した申請情報を、ユーザＵ００１に送信操作（ステップＳ１４）に応じて、情報提供装置１０に送信する（ステップＳ１０６）。
【００６６】
情報提供装置１０は、申請情報を受信すると、発行済みのユニークＩＤを端末装置２０に提供する（ステップＳ１０７）。また、情報提供装置１０は、端末装置２０によって送信された申請情報と提供したユニークＩＤとを対応付けて申請情報記憶部１２３に格納する（ステップＳ１０８）。そして、情報提供装置１０は、申請情報を管理装置３０に提供する（ステップＳ１１０）。なお、図１０におけるユニークＩＤは、第１の識別情報の一例である。
【００６７】
管理装置３０は、情報提供装置１０から提供された申請情報を照合画面に表示する（ステップＳ１１１）。そして、管理装置３０は、管理者による照合情報及び支払い情報の入力を受け付ける（ステップＳ１１２）。ここで、管理装置３０は、入力された情報を基に、情報提供装置１０に申請情報の更新を要求する（ステップＳ１１３）。情報提供装置１０は、管理装置３０の要求に応じて申請情報を更新する（ステップＳ１１４）。
【００６８】
また、端末装置２０は、提供されたユニークＩＤを表示する（ステップＳ１０９）。ユーザＵ００１は、表示されたユニークＩＤを参照し、袋５０の記入領域５１にユニークＩＤを記入する（ステップＳ１５）。そして、ユーザＵ００１は、切断した尻尾４１を袋５０に封入し（ステップＳ１６）、管理者に提出する（ステップＳ１７）。
【００６９】
ここで、情報提供装置１０によるユニークＩＤの提供のタイミングは、図１０のものに限られない。例えば、情報提供装置１０は、端末装置２０から申請情報を受け取る前にユニークＩＤを提供してもよい。図１１を用いて、情報提供装置１０が申請情報を受け取る前にユニークＩＤを提供する場合の、管理システム１の処理の流れについて説明する。図１１は、実施形態に係る管理システムの処理の流れを示すシーケンスである。
【００７０】
図１１に示すように、端末装置２０は、まず、ユーザＵ００１の起動操作（ステップＳ１１）に応じてアプリケーションを起動する（ステップＳ２０１）。次に、端末装置２０は、ユーザＵ００１の撮像操作（ステップＳ１２）に応じて、捕獲した動物の画像を撮像する（ステップＳ２０２）。さらに、端末装置２０は、現在位置を取得する（ステップＳ２０３）。
【００７１】
ここで、情報提供装置１０は、申請情報を受信すると、発行済みのユニークＩＤを端末装置２０に提供する（ステップＳ２０４）。そして、端末装置２０は、ユニークＩＤを取得する（ステップＳ２０５）。このとき、情報提供装置１０は、ステップＳ２０１で起動したアプリケーションから送信される所定の信号を受け取った場合にユニークＩＤを提供するようにしてもよい。なお、図１１におけるユニークＩＤは、第２の識別情報の一例である。
【００７２】
ここで、端末装置２０は、ユーザＵ００１の入力操作（ステップＳ１３）による各情報の入力を受け付ける（ステップＳ２０６）。そして、端末装置２０は、入力された情報から申請情報を生成する（ステップＳ２０７）。さらに、端末装置２０は、生成した申請情報を、ユーザＵ００１に送信操作（ステップＳ１４）に応じて、情報提供装置１０に送信する（ステップＳ２０８）。
【００７３】
また、情報提供装置１０は、端末装置２０によって送信された申請情報を、ステップＳ２０４で提供したユニークＩＤと対応付けて、申請情報記憶部１２３に格納する（ステップＳ２０９）。以降の処理は、図１０のステップＳ１５からステップＳ１７、及びステップＳ１１０以降の処理と同様である。
【００７４】
また、ユニークＩＤは、あらかじめ発行され、申請に関する処理が行われる前にユーザＵ００１に提供されていてもよい。図１２を用いて、ユニークＩＤがあらかじめ発行されユーザＵ００１に提供済みである場合の、管理システム１の処理の流れについて説明する。図１２は、実施形態に係る管理システムの処理の流れを示すシーケンスである。また、この場合、ユニークＩＤがコードで示された袋５０がユーザＵ００１に配布されていてもよい。なお、図１２におけるユニークＩＤは、第３の識別情報の一例である。
【００７５】
図１２に示すように、端末装置２０は、まず、ユーザＵ００１の起動操作（ステップＳ１１）に応じてアプリケーションを起動する（ステップＳ３０１）。次に、端末装置２０は、ユーザＵ００１の撮像操作（ステップＳ１２）に応じて、捕獲した動物の画像を撮像する（ステップＳ３０２）。さらに、端末装置２０は、現在位置を取得する（ステップＳ３０３）。
【００７６】
ここで、端末装置２０は、ユーザＵ００１の入力操作（ステップＳ１３）による、あらかじめ提供されたユニークＩＤを含む各情報の入力を受け付ける（ステップＳ３０４）。ユニークＩＤは、記入領域５１にユーザＩＤが印字された袋５０が配布されることによってユーザＵ００１に提供されてもよい。また、端末装置２０は、画像読み取り機能により、袋５０の記入領域５１に記載された識別情報を読み取り、読み取った識別情報を自動的に入力するようにしてもよい。
【００７７】
そして、端末装置２０は、入力された情報から申請情報を生成する（ステップＳ３０５）。さらに、端末装置２０は、生成した申請情報を、ユーザＵ００１に送信操作（ステップＳ１４）に応じて、情報提供装置１０に送信する（ステップＳ３０６）。
【００７８】
また、情報提供装置１０は、端末装置２０によって送信された申請情報を、ユニークＩＤと対応付けて、申請情報記憶部１２３に格納する（ステップＳ３０７）。以降の処理は、図１０のステップＳ１５からステップＳ１７、及びステップＳ１１０以降の処理と同様である。ただし、袋５０の記入領域５１にユニークＩＤが印字済みである場合、ユーザＵ００１は、ステップＳ１５を省略することができる。
【００７９】
また、ユニークＩＤは、端末装置２０によって発行されてもよい。図１３を用いて、端末装置２０がユニークＩＤを発行する場合の、管理システム１の処理の流れについて説明する。図１３は、実施形態に係る管理システムの処理の流れを示すシーケンスである。
【００８０】
図１３に示すように、端末装置２０は、まず、ユーザＵ００１の起動操作（ステップＳ１１）に応じてアプリケーションを起動する（ステップＳ４０１）。次に、端末装置２０は、ユーザＵ００１の撮像操作（ステップＳ１２）に応じて、捕獲した動物の画像を撮像する（ステップＳ４０２）。さらに、端末装置２０は、現在位置を取得する（ステップＳ４０３）。
【００８１】
ここで、端末装置２０は、ユニークＩＤを発行する（ステップＳ４０４）。そして、端末装置２０は、ユーザＵ００１の入力操作（ステップＳ１３）による各情報の入力を受け付ける（ステップＳ４０５）。なお、図１３におけるユニークＩＤは、第４の識別情報の一例である。
【００８２】
そして、端末装置２０は、入力された情報から申請情報を生成する（ステップＳ４０６）。このとき、端末装置２０は、発行したユニークＩＤを、申請情報に含めるものとする。さらに、端末装置２０は、生成した申請情報を、ユーザＵ００１に送信操作（ステップＳ１４）に応じて、情報提供装置１０に送信する（ステップＳ４０７）。
【００８３】
また、情報提供装置１０は、端末装置２０によって送信された申請情報を、ユニークＩＤと対応付けて、申請情報記憶部１２３に格納する（ステップＳ４０８）。以降の処理は、図１０のステップＳ１５からステップＳ１７、及びステップＳ１１０以降の処理と同様である。
【００８４】
ここで、猟が行われる山中では、通信環境が悪く、端末装置２０からネットワーク２に接続できない場合が考えられる。このとき、図１３の手順によれば、端末装置２０は、ネットワーク２に接続できない場合であってもあらかじめユニークＩＤを発行しておき、通信が可能な環境に移動した際に発行済みのユニークＩＤを情報提供装置１０に送信することができる。また、図１２の手順においても、あらかじめユニークＩＤがユーザＵ００１に提供されているため、図１３の手順と同様に、端末装置２０が通信が可能な環境に移動した際にユニークＩＤを情報提供装置１０に送信することができる。
【００８５】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態は、発明の範囲や要旨に含まれると同様に、特許請求の範囲に記載された発明とその均等の範囲に含まれるものである。また、この実施形態は、処理内容を矛盾させない範囲で適宜組み合わせることが可能である。
【００８６】
例えば、あらかじめユニークＩＤが提供される場合（例えば、図１２の手順）は、図１４のように、ユニークＩＤが袋５０の記入領域５１ａにコードで示されていてもよい。図１４は、実施形態に係るコードの一例を示す図である。コードは、例えばバーコード及びＱＲコード（登録商標）である。この場合、端末装置２０及び管理装置３０は、カメラを用いたコードの読み取り機能により、袋５０から自動的にユニークＩＤを取得することができる。
【００８７】
この場合、例えば、ユーザには、コードが印字された記入領域５１ａを備え、袋５０に貼付可能なシール等が配布される。そして、ユーザは、配布されたシール等を袋５０に貼り付けることにより、ユニークＩＤを記入する作業を省略することができる。なお、ユーザには、コードが印字済みの袋５０が配布されてもよい。
【００８８】
また、申請情報に含まれる項目は、図５に示すものに限られない。申請情報には、捕獲個体の画像が含まれていてもよい。また、申請者と捕獲者が異なる場合、申請情報には、それぞれのユーザを特定する情報が含まれていてもよい。また、申請情報は、捕獲個体の用途が含まれていてもよい。例えば、捕獲個体の用途は、埋設、焼却、自家消費、食肉処理加工施設等である。
【００８９】
また、申請情報の捕獲個体情報には、捕獲個体の年齢、推定体重、実測体重、妊娠の有無、胎児の性別、乳汁の分泌の有無等が含まれていてもよい。また、例えば、捕獲個体がシカ等のツノを有する動物である場合、申請情報の捕獲個体情報には、ツノの状態を示す情報が含まれていてもよい。ツノの状態を示す情報は、なし、袋角、１尖、２尖、３尖、４尖、落角等である。また、複数の捕獲個体について申請情報を送信する場合は、申請情報に各捕獲個体の通し番号が含まれていてもよい。
【００９０】
また、管理装置３０は、ＯＣＲ（Optical  Character  Reader）機能を備えていてもよい。この場合、管理装置３０は、袋５０に記載されたユニークＩＤをＯＣＲ機能を用いて自動的に読み取り、さらに申請情報との照合を自動的に行ってもよい。
【００９１】
また、図９の照合画面には、検索画面が表示されてもよい。検索画面は、例えば、ユニークＩＤを入力可能なテキストボックスを含む。この場合、管理装置３０は、申請情報記憶部１２３を検索し、検索画面に入力されたユニークＩＤに合致する申請情報を取得し、照合画面に表示する。そして、管理者は、照合画面に表示された申請情報を参照しながら、照合済みのチェックボックスのチェック等の操作を行うことができる。
【００９２】
また、管理装置３０は、ＯＣＲ機能等でユニークＩＤを読み取った場合、当該読み取ったユニークＩＤを用いて自動的に申請情報記憶部１２３を検索し、さらに取得した申請情報を、照合済みのチェックボックスがチェックされた状態で照合画面に表示してもよい。また、このとき、管理装置３０は、照合済みのチェックボックスを未チェックの状態で表示し、管理者のチェック操作を受け付けてもよい。
【符号の説明】
【００９３】
１  管理システム
２  ネットワーク
１０  情報提供装置
１１、２１、３１  通信部
１２、２４、３４  記憶部
１３、２５、３５  制御部
２２、３２  撮像部
２３、３３  入出力部
２０  端末装置
３０  管理装置
４０  捕獲個体
４１  尻尾
５０  袋
５１、５１ａ  記入領域
１２１  識別情報記憶部
１２２  ユーザ情報記憶部
１２３  申請情報記憶部
１３１  申請情報管理部
１３２  識別情報管理部
１３３  照合結果管理部
２５１  取得部
２５２  表示制御部
２５３  生成部
３５１  表示制御部
３５２  要求部
【図１】
2020087417.tif 000003
【図２】
2020087417.tif 000004
【図３】
2020087417.tif 000005
【図４】
2020087417.tif 000006
【図５】
2020087417.tif 000007
【図６】
2020087417.tif 000008
【図７】
2020087417.tif 000009
【図８】
2020087417.tif 000010
【図９】
2020087417.tif 000011
【図１０】
2020087417.tif 000012
【図１１】
2020087417.tif 000013
【図１２】
2020087417.tif 000014
【図１３】
2020087417.tif 000015
【図１４】
2020087417.tif 000016
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
ユーザの端末装置から送信された捕獲個体に関する情報を含む申請情報に対し識別情報を対応付けるとともに、前記送信された申請情報および前記識別情報を記憶し、前記識別情報に基づいてユーザから提出された前記識別情報と同じ識別情報が付与された前記捕獲個体の一部と前記申請情報との照合及び照合結果の入力を可能とする管理システム
であって、
前記識別情報は、前記捕獲個体ごとに発行され、前記ユーザから提出された捕獲個体の一部が前記申請情報に含まれる捕獲個体のものであることを識別するための情報である
ことを特徴とする管理システム。